【事件の表示】
　特許第３４２６４０２号「冷蔵庫」の請求項１ないし３に係る特許に対する特許異議の申立てについて、次のとおり決定する。
【結　論】
　訂正を認める。
　特許第３４２６４０２号の請求項１ないし２に係る特許を維持する。
【理　由】
１．手続の経緯
　特許第３４２６４０２号の発明についての出願は、平成７年５月１１日に出願され、平成１５年５月９日にその発明について特許の設定登録がなされ、その後、異議申立人松野靖恵により特許異議申立がなされ、平成１６年６月３０日付け取消理由通知がなされ、その指定期間内である平成１６年９月１４日に特許異議意見書および訂正請求書が提出されたものである。
　
　
２．訂正の適否についての判断
（１）訂正の内容
　特許権者が求めている訂正の内容は、上記訂正請求書に添付された全文訂正明細書に記載された、以下のａ〜ｃである。（以下、「本件訂正」という。）
ａ．特許請求の範囲に記載されていた
「　【請求項１】
　冷蔵室と、この冷蔵室の下方に配置された野菜室と、この野菜室の下方に配置された冷凍室と、前記野菜室内のほとんどの空間を占有するように配置され且つ扉に取付けられた引出し式容器と、前記冷蔵室内に配置された給水ボトルから前記野菜室内を通して前記冷凍室内に配置された製氷皿に給水する給水管とを備え、この給水管が、ウレタンの外で前記野菜室内に配置された引出し式容器の奥部に配置され、前記野菜室より取付け、取外し可能とした冷蔵庫。
　　【請求項２】
　内箱の内側に設けられた野菜室と、この野菜室の上方に設けられた冷蔵室と、前記野菜室の下方に設けられた冷凍室と、前記野菜室内のほとんどの空間を占有するように配置され且つ扉に取付けられた引出し式容器と、前記冷蔵室内に配置された給水ボトルから前記野菜室内を通して前記冷凍室内に配置された製氷皿に給水する給水管とを備え、前記給水管が、ウレタンの外であって前記野菜室内に配置された引出し式容器の奥部に配置され、前記野菜室より取付け、取外し可能とし、前記内箱に設けられた部材により固定された冷蔵庫。
　　【請求項３】
　前記給水管が、野菜室内に配置された引出し式容器よりも奥に配置された請求項１または２に記載の冷蔵庫。」
を、
「　【請求項１】
　冷蔵室と、この冷蔵室の下方に配置された野菜室と、この野菜室の下方に配置された冷凍室と、前記野菜室内のほとんどの空間を占有するように配置され且つ扉に取付けられた引出し式容器と、前記冷蔵室内に配置された給水ボトルから前記野菜室内を通して前記冷凍室内に配置された製氷皿に給水する給水
導
前記給水導管のうち前記野菜室に配置される
導
側
上方端部を着脱自在な締結とし下方端部を冷凍室側への挿入取付けとして、前記野菜室に配置される給水導管を
な給水導管
　　【請求項２】
　内箱の内側に設けられた野菜室と、この野菜室の上方に設けられた冷蔵室と、前記野菜室の下方に設けられた冷凍室と、前記野菜室内のほとんどの空間を占有するように配置され且つ扉に取付けられた引出し式容器と、前記冷蔵室内に配置された給水ボトルから前記野菜室内を通して前記冷凍室内に配置された製氷皿に給水する給水
導
前記給水導管のうち前記野菜室に配置される
側
上方端部を着脱自在な締結とし下方端部を冷凍室側への挿入取付けとして、前記野菜室に配置される給水導管を
な給水導管
　　【請求項３】（削除）」
に訂正する。
　
ｂ．発明の詳細な説明（特許公報第２ページ第３〜４欄）における、
「    【００１１】
　　【課題を解決するための手段】
　上記目的を達成するために、本発明の冷蔵庫は、冷蔵室と、この冷蔵室の下方に配置された野菜室と、この野菜室の下方に配置された冷凍室と、前記野菜室内のほとんどの空間を占有するように配置され且つ扉に取付けられた引出し式容器と、前記冷蔵室内に配置された給水ボトルから前記野菜室内を通して前記冷凍室内に配置された製氷皿に給水する給水管とを備え、この給水管が、ウレタンの外で前記野菜室内に配置された引出し式容器の奥部に配置され、前記野菜室より取付け、取外し可能としたものである。
    【００１２】
　また、内箱の内側に設けられた野菜室と、この野菜室の上方に設けられた冷蔵室と、前記野菜室の下方に設けられた冷凍室と、前記野菜室内のほとんどの空間を占有するように配置され且つ扉に取付けられた引出し式容器と、前記冷蔵室内に配置された給水ボトルから前記野菜室内を通して前記冷凍室内に配置された製氷皿に給水する給水管とを備え、前記給水管が、ウレタンの外であって前記野菜室内に配置された引出し式容器の奥部に配置され、前記野菜室より取付け、取外し可能とし、前記内箱に設けられた部材により固定されたものである。さらに、前記給水管が前記野菜室内に配置された引出し式容器より奥に配置されたものである。」
を、
「    【００１１】
　　【課題を解決するための手段】
　上記目的を達成するために、本発明の冷蔵庫は、冷蔵室と、この冷蔵室の下方に配置された野菜室と、この野菜室の下方に配置された冷凍室と、前記野菜室内のほとんどの空間を占有するように配置され且つ扉に取付けられた引出し式容器と、前記冷蔵室内に配置された給水ボトルから前記野菜室内を通して前記冷凍室内に配置された製氷皿に給水する給水
導
前記給水導管のうち前記野菜室に配置される
導
側
上方端部を着脱自在な締結とし下方端部を冷凍室側への挿入取付けとして、前記野菜室に配置される給水導管を
な給水導管
    【００１２】
　また、内箱の内側に設けられた野菜室と、この野菜室の上方に設けられた冷蔵室と、前記野菜室の下方に設けられた冷凍室と、前記野菜室内のほとんどの空間を占有するように配置され且つ扉に取付けられた引出し式容器と、前記冷蔵室内に配置された給水ボトルから前記野菜室内を通して前記冷凍室内に配置された製氷皿に給水する給水
導
前記給水導管のうち前記野菜室に配置される
側
上方端部を着脱自在な締結とし下方端部を冷凍室側への挿入取付けとして、前記野菜室に配置される給水導管を
な給水導管
。
に訂正する。
　
ｃ．発明の詳細な説明（特許公報第２ページ第４欄）における、
「    【００１４】
　本発明の給水管は、冷蔵室と冷凍室との間に設けられた野菜室の内側に設けられている。そして、この野菜室内の容器の奥部の内容積無効空間に設置される。      【００１５】
　また、給水管は内箱に設けられた固定用の部材により、容器の奥部で固定される。」
を、
「    【００１４】
　本発明の給水
導
側
　また、給水
導
側
に訂正する。
　
（２）訂正の目的の適否、新規事項の有無及び拡張・変更の存否
イ．上記ａ．の訂正について
　本件発明は、本件明細書段落【０００９】に記載された「・・・しかし、冷蔵室と冷凍室間に別の部屋（例えば野菜室）を配置した冷蔵庫では、給水導管をウレタン内に埋設すると給水導管の全長（全高）が長くなる為、給水導管内に水アカ等が付着した場合に給水導管の取外しが不可となり、衛生面における配慮に欠けてしまう問題が生じている。」との課題を解決するためになされたものであり、このような課題を解決するために、同明細書の段落【００１１】に記載されているような「（野菜室内に配置された引出し式容器の奥部においてウレタンの外に配置された給水管を）前記野菜室より取付け、取外し可能とした」という手段を採用することにより、同明細書の段落【００２７】に記載されている「使い勝手の良い冷蔵庫を提供できる」という発明の効果を達成できるのである。
　このような部屋（冷蔵室，冷凍室等）の配置がなされている冷蔵庫では、給水導管の全長が長くなるため管内を流れる水が管内にたまる確率が高くなり、給水導管の交換の必要性も高まる。しかし、給水導管をウレタン内に埋設するのでは、給水管の取外しが不可となるので、使い勝手の良い取付け取外しを実現するためには、ウレタンの外に配置された（野菜室内の）給水管を取付け取外し可能としなければならないのは自明である。
　しかるに、訂正前の請求項１，２における「前記冷蔵室内に配置された給水ボトルから前記野菜室内を通して前記冷凍室内に配置された製氷皿に給水する給水管とを備え、この給水管が・・・・・前記野菜室より取付け、取外し可能とし」は、給水管の全部が取付け取外し可能かのような記載であった。
　上記ａ．の訂正は、給水導管のうちの、野菜室に配置される給水導管が取付け取外し可能であることを明瞭にするものであり、この訂正は明瞭でない記載の釈明に該当する。
　また、上記ａ．の訂正は、請求項３を削除するものであり、この訂正は特許請求の範囲の減縮に相当する。
　そして、上記ａ．の訂正は、願書に添付した明細書又は図面に記載された事項の範囲内においてなされたものであり、また、実質上特許請求の範囲を拡張又は変更するものではない。
　　
ロ．ｂ．及びｃ．の訂正について
　上記ｂ．及びｃ．の訂正は、上記ａ．における特許請求の範囲の訂正と整合をとるため、発明の詳細な説明の記載を訂正するものであり、明瞭でない記載の釈明に該当する。
　そして、このｂ．及びｃ．の訂正は、願書に添付した明細書又は図面に記載された事項の範囲内において訂正したものであり、実質上特許請求の範囲を拡張又は変更するものではない。
　
　
（３）まとめ
　以上のとおりであるから、本件訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、本件訂正を認める。
　
　
３．本件発明
　したがって、本件の請求項１及び２に係る発明（以下、「本件発明１」及び「本件発明２」という）は上記訂正明細書の特許請求の範囲の請求項１及び２に記載された事項により特定される下記のとおりのものである。
「　【請求項１】
　冷蔵室と、この冷蔵室の下方に配置された野菜室と、この野菜室の下方に配置された冷凍室と、前記野菜室内のほとんどの空間を占有するように配置され且つ扉に取付けられた引出し式容器と、前記冷蔵室内に配置された給水ボトルから前記野菜室内を通して前記冷凍室内に配置された製氷皿に給水する給水導管とを備え、前記給水導管のうち前記野菜室に配置される給水導管が、ウレタンの外で前記野菜室内に配置された引出し式容器の奥側に配置され、上方端部を着脱自在な締結とし下方端部を冷凍室側への挿入取付けとして、前記野菜室に配置される給水導管を前記野菜室より取付け、取外し可能な給水導管とした冷蔵庫。
　　【請求項２】
　内箱の内側に設けられた野菜室と、この野菜室の上方に設けられた冷蔵室と、前記野菜室の下方に設けられた冷凍室と、前記野菜室内のほとんどの空間を占有するように配置され且つ扉に取付けられた引出し式容器と、前記冷蔵室内に配置された給水ボトルから前記野菜室内を通して前記冷凍室内に配置された製氷皿に給水する給水導管とを備え、前記給水導管のうち前記野菜室に配置される給水管が、ウレタンの外であって前記野菜室内に配置された引出し式容器の奥側に配置され、上方端部を着脱自在な締結とし下方端部を冷凍室側への挿入取付けとして、前記野菜室に配置される給水導管を前記野菜室より取付け、取外し可能な給水導管とし、前記内箱に設けられた部材により固定された冷蔵庫。」
　
　
４．当審が通知した取消理由の概要
　平成１６年６月３０日付けで当審が通知した取消理由は、
「本件明細書(特許時の明細書)の請求項１、請求項２、段落【００１１】、段落【００１２】に記載された、「前記冷蔵室内に配置された給水ボトルから前記野菜室内を通して前記冷凍室内に配置された製氷皿に給水する給水管とを備え、この給水管が・・・・・前記野菜室より取付け、取外し可能とし」は、願書に最初に添付した明細書又は図面に記載されていない。又、同明細書又は図面の記載より自明な事項でもない。したがって、本件明細書の上記の記載は、願書に最初に添付した明細書又は図面に記載された事項の範囲内においてなされておらず、本件の請求項１ないし３に係る発明の特許はその明細書が特許法第１７条の２第２項の規定に適合していない出願に対してなされたものであり、取り消されるべきものである。」としたものである。
　
　
５．当審が通知した取消理由に関する検討
　この取消理由で指摘されている、
「前記冷蔵室内に配置された給水ボトルから前記野菜室内を通して前記冷凍室内に配置された製氷皿に給水する給水管とを備え、この給水管が・・・・・前記野菜室より取付け、取外し可能とし」
は、本件訂正により、
「前記冷蔵室内に配置された給水ボトルから前記野菜室内を通して前記冷凍室内に配置された製氷皿に給水する給水
導
前記給水導管のうち前記野菜室に配置される
導
上方端部を着脱自在な締結とし下方端部を冷凍室側への挿入取付けとして、前記野菜室に配置される給水導管を
と訂正された。そして、この記載は、願書に最初に添付した明細書及び図面の記載より自明なものであり、特許法第１７条の２第２項の規定に適合するものである。
　すなわち、訂正後の、この記載中には「・・・野菜室に配置される給水導管を・・・取付け、取外し可能とし」とあるが、これに対し、願書に最初に添付した明細書段落【００１４】には「野菜室間に設置される給水導管は、・・・容易に取付け、取外しが出来るように、ブロー成形から形成される伸縮性の良い蛇腹状とし、・・・」と記載されている。また同明細書段落【００２７】には「・・・蛇腹状の給水導管をウレタン内に埋設することなく、冷蔵庫内に設置したため、給水導管の取外しが容易になり、・・・」と記載されている。このように、同明細書には、「蛇腹状の」という限定のない給水導管を取付け取外し可能とするという明記はない。この点を以下に検討する。
　願書に最初に添付した明細書及び図面の記載においても、上記２．（２）イ．中程で述べたと同様な、
　・冷凍室等の配置に起因し、給水導管の交換の必要性が高い冷蔵庫に
　　おいて、
　・給水導管をウレタン内に埋設するのでは、導管の取外しが不可能と
　　なるが、
　・こうした冷蔵庫においても導管取外しが容易で衛生的な冷蔵庫を実現
　　する、
という課題が示されている。
　このような課題によれば、給水導管のどの部分をウレタン内に埋設しないようにして、取外しを可能とするかは課題の解決に必要不可欠なものである。しかし、給水導管を蛇腹状とするかどうかは、不可欠というよりも、課題をより良く（取外しがより容易にできるように）達成するための副次的なものであると認められる。
　そうすると、このような発明の課題を参考にしつつ、願書に最初に添付した明細書の段落【００１６】〜【００２６】に記載された本発明の実施例を読んだ当業者が、同明細書の請求項１，２に記載された事項により特定される発明のみならず、上記のような副次的事項を除いた、課題を解決するために必要不可欠な事項のみにより特定される発明をも、想起するであろうことは当然である。よって、「（蛇腹状という限定のない）給水導管を取付け取外し可能とする」は、願書に最初に添付した明細書及び図面の記載より自明な事項である。
　
　
６．特許異議申立て理由の概要
（１）特許法第１７条の２第２項に関する申立て理由
　特許異議申立人は、次のイ．ないしニ．の旨の申し立てをしている。
イ．請求項１，２に記載された「（給水ボトルから製氷皿まで給水する）給
　　水管」は出願当初の明細書に記載されていない。
ロ．請求項１，２には、この「給水管」自体が取外し可能であるとも記載さ
　　れているが、このようなことは出願当初の明細書に記載されていない。
ハ．請求項１，２に記載された「野菜室より取付け可能」は出願当初の明細
　　書に記載されていない。
ニ．したがって、本件発明１及び本件発明２の特許は、その明細書が特許法
　　第１７条の２第３項の規定に適合していないので、取り消されるべきも
　　のである。
　
（２）特許法第２９条第２項に関する申立て理由
　特許異議申立人は、
甲第４号証：Liebherr-Hausgerate GmbH社カタログ「冷却及び冷凍　
　　　　　　’８９／’９０」表紙、第３頁、第１６頁、裏表紙
甲第５号証：実公平５−１２６８３号公報
を引用して、「本件発明１及び本件発明２は、これらの甲第４，５号証に記載された発明に基づいて当業者が容易に発明をすることができたものであるから、特許法第２９条第２項の規定に該当し、特許を受けることができないものである。したがって、この発明の特許は取り消されるべきものである。」旨主張している。
　
　
７．特許法第１７条の２第２項に関する異議申立て理由について
イ．特許異議申立人は、「給水ボトルから製氷皿まで給水する「給水管」は出願当初の明細書に記載されていない。」旨の申立てを行っている。
　しかし、願書に最初に添付した明細書に記載されている「冷蔵室２側の給水導管１３」，「冷凍室４側のヒータ付給水導管１８」及び「野菜室３に設けた蛇腹状の給水導管２０」が、請求項１，２等に記載されているような「冷蔵室内に配置された給水ボトルから前記野菜室内を通して前記冷凍室内に配置された製氷皿に給水する」ものを形成することは、願書に最初に添付した明細書段落【００２３】の、
「・・・小孔２５ａは、水受台２４を流れてきた水が、邪魔板２５の小孔２５ａを通って給水導管１３に至るため、水量が制限されたり、流れる水のスピードを落とすためのものである。流れる水のスピードが速いと製氷皿から水がとび散ってしまうという問題が発生するのである。」
という記載、及び、願書に最初に添付した図面図１ないし３の記載より自明である。
　そして、このような「給水ボトルから・・・製氷皿に給水する」ものを給水管または給水導管と命名するかどうかは、文章表現上の問題にすぎない。
　
ロ．特許異議申立人は、「（給水ボトルから製氷皿まで給水する）給水管自体が取外し可能ということは出願当初の明細書に記載されていない。」旨の申立てを行っている。
　しかし、特許異議申立人が指摘する箇所は、本件訂正により、「前記冷蔵室内に配置された給水ボトルから前記野菜室内を通して前記冷凍室内に配置された製氷皿に給水する給水
導
前記給水導管のうち前記野菜室に配置される
導
上方端部を着脱自在な締結とし下方端部を冷凍室側への挿入取付けとして、前記野菜室に配置される給水導管を
と訂正され、給水管全体（給水管自体）ではなく、給水管（給水導管）のうち前記野菜室に配置されるものが取付け取外し可能であると明記されている。そして、この記載は、上記５．で述べたように、願書に最初に添付した明細書又は図面の記載より自明なものである。
　
ハ．特許異議申立人は、「野菜室より取付け可能、は出願当初の明細書に記載されていない。」旨の申立てを行っている。
　しかし、野菜室間に設置される蛇腹状の給水導管が取付け取外しできることは、願書に最初に添付した明細書段落【００１４】，【００１５】に記載されている。そして、この取付け取外しが野菜室より行われるであろうことは、同明細書段落【００１１】の「・・・
野菜室側に
逆の作業を行なえば
　
ニ．したがって、本件発明１及び本件発明２の特許は、その明細書が特許法第１７条の２第２項の規定に適合していない出願に対してなされたものであるとは言えない。
　
　
８．特許法第２９条第２項に関する異議申立て理由について
（１）特許異議申立人が引用した甲第４号証に記載された発明
　この甲第４号証には、
「冷蔵室と、この冷蔵室の下方に配置された野菜室と、この野菜室の下方に配置された冷凍室と、前記野菜室内のほとんどの空間を占有するように配置され且つ扉に取付けられた引出し式容器とを備えた冷蔵庫。」
なる発明が記載されている。
　
（２）特許異議申立人が引用した甲第５号証に記載された発明
　この甲第５号証には、
「冷蔵室内に配置された給水タンクから冷凍室内に配置された製氷皿に給水する給水管を備える冷蔵庫。」
なる発明が記載されている。
　
　
（３）本件発明１について
イ．対比
　本件発明１と甲第４号証に記載された発明を対比する。
　両発明は、
「冷蔵室と、この冷蔵室の下方に配置された野菜室と、この野菜室の下方に配置された冷凍室と、前記野菜室内のほとんどの空間を占有するように配置され且つ扉に取付けられた引出し式容器とを備えた冷蔵庫。」で一致し、下記のＡ，Ｂの２点で相違する。
　
　相違点Ａ：本件発明１では、「冷蔵室内に配置された給水ボトルから冷凍室内に配置された製氷皿に給水する給水導管とを備え、」とされているが、これに対し、甲第４号証には、このような給水導管が記載されていない。
　
　相違点Ｂ：本件発明１では、「給水導管が野菜室内を通して配置され、前記給水導管のうち前記野菜室に配置される給水導管が、ウレタンの外で前記野菜室内に配置された引出し式容器の奥側に配置され、上方端部を着脱自在な締結とし下方端部を冷凍室側への挿入取付けとして、前記野菜室に配置される給水導管を前記野菜室より取付け、取外し可能な給水導管とした」とされているが、これに対し、甲第４号証には、このような給水導管が記載されていない。
　
ロ．相違点についての検討
　相違点Ａについての検討
　まず、上記相違点Ａについて検討すると、相違点Ａにおける本件発明１の構成は、甲第５号証に記載された発明にすべて含まれている。
　そして、甲第５号証に記載された発明を、甲第４号証に記載された発明に組み合わせることは容易であると認められる。
　
　相違点Ｂについての検討
　次に、上記相違点Ｂについて検討する。相違点Ｂにおける本件発明１の構成である、
「給水導管が野菜室内を通して配置され、前記給水導管のうち前記野菜室に配置される給水導管が、ウレタンの外で前記野菜室内に配置された引出し式容器の奥側に配置され、上方端部を着脱自在な締結とし下方端部を冷凍室側への挿入取付けとして、前記野菜室に配置される給水導管を前記野菜室より取付け、取外し可能な給水導管とした」
は、甲第５号証に記載されていない。また、他の甲号証にも記載されていない。
　そして、この構成により本件明細書に記載された効果を達成できると認められる。
　
ハ．まとめ
　以上のように、上記相違点Ｂは上記各甲号証に記載された発明より容易に想到し得たものではないので、本件発明１は上記各甲号証に記載された発明に基づいて当業者が容易に発明をすることができたものではない。
　
　
（４）本件発明２について
イ．対比
　本件発明２と甲第４号証に記載された発明を対比する。
　両発明は、
「内箱の内側に設けられた野菜室と、この野菜室の上方に設けられた冷蔵室と、前記野菜室の下方に設けられた冷凍室と、前記野菜室内のほとんどの空間を占有するように配置され且つ扉に取付けられた引出し式容器とを備えた冷蔵庫。」で一致し、下記のＣ，Ｄの２点で相違する。
　
　相違点Ｃ：本件発明２では、「冷蔵室内に配置された給水ボトルから前記野菜室内を通して前記冷凍室内に配置された製氷皿に給水する給水導管とを備え」とされているが、これに対し、甲第４号証には、このような給水導管が記載されていない。
　
　相違点Ｄ：本件発明２では、「給水導管が野菜室内を通して配置され、前記給水導管のうち前記野菜室に配置される給水管が、ウレタンの外であって前記野菜室内に配置された引出し式容器の奥側に配置され、上方端部を着脱自在な締結とし下方端部を冷凍室側への挿入取付けとして、前記野菜室に配置される給水導管を前記野菜室より取付け、取外し可能な給水導管とし、前記内箱に設けられた部材により固定された」とされているが、これに対し、甲第４号証には、このような給水導管が記載されていない。
　
ロ．相違点についての検討
　相違点Ｃについての検討
　まず、上記相違点Ｃについて検討すると、相違点Ｃにおける本件発明２の構成は、甲第５号証に記載された発明にすべて含まれている。
　そして、甲第５号証に記載された発明を、甲第４号証に記載された発明に組み合わせることは容易であると認められる。
　
　相違点Ｄについての検討
　次に、上記相違点Ｄについて検討する。相違点Ｄにおける本件発明２の構成である、
「給水導管が野菜室内を通して配置され、前記給水導管のうち前記野菜室に配置される給水管が、ウレタンの外であって前記野菜室内に配置された引出し式容器の奥側に配置され、上方端部を着脱自在な締結とし下方端部を冷凍室側への挿入取付けとして、前記野菜室に配置される給水導管を前記野菜室より取付け、取外し可能な給水導管とし、前記内箱に設けられた部材により固定された」
は、甲第５号証に記載されていない。また、他の甲号証にも記載されていない。
　そして、この構成により本件明細書に記載された効果を達成できると認められる。
　
ハ．まとめ
　以上のように、上記相違点Ｄは上記各甲号証に記載された発明より容易に想到し得たものではないので、本件発明２は上記各甲号証に記載された発明に基づいて当業者が容易に発明をすることができたものではない。
　
　
　
９．むすび
　以上のとおりであるから、特許異議申立の理由によっては本件発明についての特許を取り消すことはできない。
　また、他に本件発明についての特許を取り消すべき理由を発見しない。
　したがって、本件発明についての特許は拒絶の査定をしなければならない特許出願に対してなされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。　
【異議決定日】
平成１６年１０月２５日（２００４．１０．２５）
【訂正の要旨】
審決（決定）の【理由】欄参照。
（５４）【発明の名称】
冷蔵庫
（５７）【特許請求の範囲】
　【請求項１】
　冷蔵室と、この冷蔵室の下方に配置された野菜室と、この野菜室の下方に配置された冷凍室と、前記野菜室内のほとんどの空間を占有するように配置され且つ扉に取付けられた引出し式容器と、前記冷蔵室内に配置された給水ボトルから前記野菜室内を通して前記冷凍室内に配置された製氷皿に給水する給水
導
前記給水導管のうち前記野菜室に配置される
導
側
上方端部を着脱自在な締結とし下方端部を冷凍室側への挿入取付けとして、前記野菜室に配置される給水導管を
な給水導管
　【請求項２】
　内箱の内側に設けられた野菜室と、この野菜室の上方に設けられた冷蔵室と、前記野菜室の下方に設けられた冷凍室と、前記野菜室内のほとんどの空間を占有するように配置され且つ扉に取付けられた引出し式容器と、前記冷蔵室内に配置された給水ボトルから前記野菜室内を通して前記冷凍室内に配置された製氷皿に給水する給水
導
前記給水導管のうち前記野菜室に配置される
側
上方端部を着脱自在な締結とし下方端部を冷凍室側への挿入取付けとして、前記野菜室に配置される給水導管を
な給水導管
　【請求項３】（削除）
【発明の詳細な説明】
　【０００１】
　【産業上の利用分野】
　本発明は、自動製氷機付き冷蔵庫に係り、上から冷蔵室、野菜室、冷凍室の順に配設された冷蔵庫に関する。
　【０００２】
　【従来の技術】
　従来一般に市販されている自動製氷機付き冷蔵庫を図５を参照して説明する。
　【０００３】
　図５は従来の自動製氷機構を組み込んだ冷蔵庫の要部の断面図である。
　【０００４】
　図５において、３１は冷蔵庫本体で、冷蔵庫本体３１はその内部の上に冷凍室３２、下に冷蔵室３３を有している。３４は冷凍室３２側に設置された製氷部で、製氷部３４は製氷皿３５でできた氷を自動的に離氷するための機械部３６と、製氷皿３５でできた氷を貯氷するアイスバンク３７等より構成されている。
　【０００５】
　また、３８は冷蔵室３３側に設置された給水部である。給水部３８は例えば、２リットル近い水が入る給水ボトル３９、定量皿４０、それに定量皿４０内の水を製氷皿３５に導くための給水ポンプ４１、およびカバー４２等より構成されている。４３は定量皿４０内の氷を製氷皿３５に導く給水導管である。
　【０００６】
　この種製氷部３４、給水部３８を備えた自動製氷機付き冷蔵庫は公知の給水−製氷−給水−製氷の一連の動作を自動的に繰り返すものである。
　【０００７】
　なお、この種の従来例には、例えば、特開平４−３１３６６５号公報に記載のものがある。
　【０００８】
　【発明が解決しようとする課題】
　この様な構造の従来の自動製氷機付き冷蔵庫では、次のような問題があった。上から、冷凍室、冷蔵室（あるいはその逆）の順に配設されている為、顧客の使い易さを考慮して、冷凍室前方には製氷部、冷蔵室前方には給水部が配置されているため、給水導管は冷凍室、冷蔵室の奥側に設置されており、給水導管の取外し時には全ての部品を外さないと、交換あるいは清掃することができなかった。又、ウレタン内に埋設されている時には、給水導管の取外しが出来ない場合もあった。
　【０００９】
　尚、従来の冷蔵庫では冷凍室が上、冷蔵室が下、あるいはその逆に隣接するため各部室を区画する仕切壁の高さは３０〜５０程度であり、給水導管もウレタン内に埋設でき、給水導管内に流れる水も管内にたまる確率も少ないため、給水導管の交換も不要という場合もあった。しかし、冷蔵室と冷凍室間に別の部屋（例えば野菜室）を配置した冷蔵庫では、給水導管をウレタン内に埋設すると給水導管の全長（全高）が長くなる為、給水導管内に水アカ等が付着した場合に給水導管の取外しが不可となり、衛生面における配慮に欠けてしまう問題が生じている。
　【００１０】
　本発明の目的は、使い勝手の良い冷蔵庫を提供することにある。
　【００１１】
　【課題を解決するための手段】
　上記目的を達成するために、本発明の冷蔵庫は、冷蔵室と、この冷蔵室の下方に配置された野菜室と、この野菜室の下方に配置された冷凍室と、前記野菜室内のほとんどの空間を占有するように配置され且つ扉に取付けられた引出し式容器と、前記冷蔵室内に配置された給水ボトルから前記野菜室内を通して前記冷凍室内に配置された製氷皿に給水する給水
導
前記給水導管のうち前記野菜室に配置される
導
側
上方端部を着脱自在な締結とし下方端部を冷凍室側への挿入取付けとして、前記野菜室に配置される給水導管を
な給水導管
　【００１２】
　また、内箱の内側に設けられた野菜室と、この野菜室の上方に設けられた冷蔵室と、前記野菜室の下方に設けられた冷凍室と、前記野菜室内のほとんどの空間を占有するように配置され且つ扉に取付けられた引出し式容器と、前記冷蔵室内に配置された給水ボトルから前記野菜室内を通して前記冷凍室内に配置された製氷皿に給水する給水
導
前記給水導管のうち前記野菜室に配置される
側
上方端部を着脱自在な締結とし下方端部を冷凍室側への挿入取付けとして、前記野菜室に配置される給水導管を
な給水導管
。
　【００１３】
　【作用】
　上記の構成による働きは次の通りである。
　【００１４】
　本発明の給水
導
側
　【００１５】
　また、給水
導
側
　【００１６】
　【実施例】
　以下、本発明の一実施例を図１ないし図３を参照して説明する。
　【００１７】
　図１は本発明の一実施例の自動製氷機付き冷蔵庫の縦断面図、図２は冷蔵室給水部の説明図、図３は野菜室と冷凍室上部の説明図、図４は野菜室の横断面図である。
　【００１８】
　まず図１で、１は上から冷蔵室２、野菜室３、冷凍室４の順に配設された冷蔵庫本体。５，６，７は冷蔵室２、野菜室３、冷凍室４の前面開口部を閉塞する扉体である。野菜室３と冷凍室４は、扉６，７に取付けられた引出し容器８，９により形成されている。
　【００１９】
　１０は、冷蔵室２の底部に設けられた給水部であり、給水部１０は給水ボトル１１、水受台１２等から構成されている。
　【００２０】
　また、１５は冷凍室４に設けた製氷部であり、製氷部１５は製氷皿１６、機械部１７、ヒータ付給水導管１８、アイスバンク１９等から構成されている。
　【００２１】
　２０は野菜室３に設けた蛇腹状の給水導管で、冷蔵室２側の給水導管１３と冷凍室４側のヒータ付給水導管１８間を接続するために設けられた。また、野菜室３は、野菜容器８、後述する給水導管固定用ブッシュ２１等から構成されている。
　【００２２】
　まず、冷蔵室２内に設置される給水部１０の構造について図２をもとに説明する。１１は給水ボトルで射出成形より形成し、くびれ部１１ａとねじ部１１ｂを有する給水口部が設けてあり、２２は給水ボトル１１の給水口部のねじ部１１ｂに着脱自在に締結されるキャップである。２３はキャップ２２内に組込まれている弁であり、弁２３は弁棒の押し棒２３ａとばね２３ｂを有している。また２４は水受台で、水受台２４は給水ボトル１１の給水口部の下部に位置する。１４は水受台２４に組込まれたソレノイドで、鉄芯１４ａは弁２３の押し棒２３ａに対向する位置にある。
　【００２３】
　２５は邪魔板で、邪魔板２５は給水導管１３の上方を囲むように設けられたものであり、底部に小孔２５ａを有している。小孔２５ａは、水受台２４を流れてきた水が、邪魔板２５の小孔２５ａを通って給水導管１３に至るため、水量が制限されたり、流れる水のスピードを落とすためのものである。流れる水のスピードが速いと製氷皿から水がとび散ってしまうという問題が発生するのである。
　【００２４】
　次に、冷凍室４内に設置される製氷部１５の構造について図３をもとに説明する。１８は後述する蛇腹状の給水導管２０と接続するヒータ付給水導管であり、製氷皿１６の真上に位置する。尚、ヒータ１８ｃは野菜室３と冷凍室４間を区画する区画壁２６内から製氷部１５上部までの範囲に取付けられており、給水導管１８の凍結防止を目的としている。またヒータ付給水導管１８の端部であり野菜室３の下面部２７にはフランジ１８ａが有しており、フランジ部１８ａの一部には凸部１８ｂを有している。凸部１８ｂは野菜室３と冷凍室４を区画する区画壁２６の凹部２６ａと嵌合されており、ヒータ付給水導管１８の回転防止と位置決めを兼ねる。１６は製氷皿であり、端部にはアイスバンク１９内の端氷を感知する為の機械部１７を有している。
　【００２５】
　次に冷蔵室２側から突出される給水導管１３と、冷凍室４側から突出されるヒータ付給水導管１８を接続する蛇腹状の給水導管２０を有する野菜室３内の構造について、図３と図４をもとに説明する。
　【００２６】
　図４に示す通り、野菜室３内は扉６に取り付けられた容器８で野菜室３内のほとんどの空間部を占有しているが、容器８奥側には蛇腹状の給水導管２０が、内箱２８に固着されたブッシュ２９により図面には記載されていないが、野菜室３全高の約半分の位置に固定されている。次に図３にて説明する。２０ａは蛇腹状の給水導管の端部で、冷凍室４から突出された給水導管１８と嵌合するため、給水導管１８の外形よりも少し大きめの内径で構成されている。また、もう一方の端部２０ｂは冷蔵室２より突出された給水導管１３の端部ねじ部１３ａと着脱自在に締結するためのキャップを有している。尚、蛇腹状の給水導管２０を取り付ける際は、まず上方の冷蔵室２側の給水導管１３と締結した後に、下方の冷凍室４側の給水導管１８に挿入して取付ける。勿論サービス時や清掃時で蛇腹状の給水導管２０を取外す時は、逆の作業を行なえば容易に出来る。上記の実施例では、上から冷蔵室、野菜室、冷凍室の順に配置され、冷蔵室側に給水ボトルを、冷凍室側に製氷部を有する冷蔵庫で、冷凍室側から突出された給水導管と、冷蔵室側から突出された給水導管の継ぎパイプとして野菜室側に取り外しが容易となる構造とするため野菜室に給水導管を設けるようにした。また、野菜室に設置される給水導管をウレタンの外、いわゆる冷蔵庫内側であり、これを野菜室容器の奥側に位置する内容積無効空間に設置させるようにした。
　【００２７】
　【発明の効果】
　本発明によれば、使い勝手の良い冷蔵庫を提供できる。
【図面の簡単な説明】
　【図１】　本発明の一実施例の自動製氷機付き冷蔵庫の要部の縦断面図。
　【図２】　冷蔵室給水部の説明図。
　【図３】　野菜室と冷凍室上部の説明図。
　【図４】　野菜室の横断面図。
　【図５】　従来の自動製氷機構を組み込んだ冷蔵庫の要部の断面図。
　【符号の説明】
　２…冷蔵室、３…野菜室、４…冷凍室、１３…給水導管、１５…製氷部、１６…製氷皿、１７…機械部、１８…ヒータ付給水導管、１８ａ…フランジ、１８ｂ…フランジ部凸部、１８ｃ…ヒータ、１９…アイスバンク、２０…蛇腹状の給水導管、２０ａ…蛇腹状の給水導管端部、２０ｂ…蛇腹状の給水導管端部、２６…区画壁、２６ａ…区画壁凹部、２７…野菜室下面部。